(57)【特許請求の範囲】
【請求項１】
管の先端が土の中に埋設されていて出口が形成されていない袋状の状態であって、管の両端から不要物の除去をすることができない管内の不要物を除去する地中に埋設された管内の不要物除去装置であり、地中に埋設された管内に挿入される給水パイプと、前記給水パイプ内に挿入される中空で先端に吐水口が形成された吐水手段と、前記給水パイプの先端に設けられて前記吐水手段の吐水口が前記給水パイプから突出した状態で前記吐水手段を前記給水パイプに保持する保持手段とを備えた地中に埋設された管内の不要物除去装置あって、前記給水パイプは給水パイプに水を供給しながら地中に埋設された管内に挿入されるものであり、前記吐水手段は、管内に挿入された前記給水パイプに挿入し、吐水手段の後方から水を供給して吐水手段を給水パイプの先端に設けられた保持手段に吐水手段の当接部が当接するまで移動させることができるものであることを特徴とする地中に埋設された管内の不要物除去装置。
【請求項２】
上記吐水手段に形成された吐水口は、吐水手段の後方側に吐水するものである請求項１記載の地中に埋設された管内の不要物除去装置。
【請求項３】
上記吐水手段は、前記給水パイプの内径よりも小径の円筒部と、前記保持手段に当接する当接部と、前記吐水口が形成されている請求項１又は請求項２のいずれか１項に記載の地中に埋設された管内の不要物除去装置。
【発明の詳細な説明】
【技術分野】
【０００１】
本発明は、地中に埋設された管内の不要物除去装置に関するものであり、更に詳しくは、地中に埋設された管が例えば受信坑までに達しておらず、管の両端から不要物の除去をすることができない地中に埋設された管内の不要物除去装置に関するものである。
【背景技術】
【０００２】
本発明の地中に埋設された管内の不要物除去装置を使用する管を地中に埋設する一例として、図１５に示すような推進工法があり、短筒鋼管内に取り込まれた不要物である圧縮土を図１７に示すようなオーガ装置を回転させながら取り除いていた。
【０００３】
しかしながら、このような方法にあっては、粘性の高い土は圧入していく短筒鋼管の内面及びオーガ装置にへばりつき除去が完全にできないという問題点があった。また、短筒鋼管とオーガの間に玉石や礫などが挟まってオーガが動かなくなることもあり、作業効率が悪いという問題点があった。特に、推進工法において使用される短筒鋼管は熱伝導効率が高く、短筒鋼管内に取り込まれた圧縮土が壁面にへばりつき、短筒鋼管内に取り込まれた粘性の高い土を除去するのが大変手間がかかるという問題点があった。
【先行技術文献】
【特許文献】
【０００４】
【特許文献１】特許第４８１５００７号公報
【発明の概要】
【発明が解決しようとする課題】
【０００５】
本発明は、上記問題点を解決するためになされたものであり、地中に埋設された管内に残留した不要物を簡単に除去することができる地中に埋設された管内の不要物除去装置を提供することにある。
【課題を解決するための手段】
【０００６】
上記課題を解決するために、本発明の地中に埋設された管内の不要物除去装置は、管の先端が土の中に埋設されていて出口が形成されていない袋状の状態であって、管の両端から不要物の除去をすることができない管内の不要物を除去する地中に埋設された管内の不要物除去装置であり、地中に埋設された管内に挿入される給水パイプと、前記給水パイプ内に挿入される中空で先端に吐水口が形成された吐水手段と、前記給水パイプの先端に設けられて前記吐水手段の吐水口が前記給水パイプから突出した状態で前記吐水手段を前記給水パイプに保持する保持手段とを備えた地中に埋設された管内の不要物除去装置あって、前記給水パイプは給水パイプに水を供給しながら地中に埋設された管内に挿入されるものであり、前記吐水手段は、管内に挿入された前記給水パイプに挿入し、吐水手段の後方から水を供給して吐水手段を給水パイプの先端に設けられた保持手段に吐水手段の当接部が当接するまで移動させることができるものであることを特徴とする。
【発明の効果】
【０００７】
本発明に係る地中に埋設された管内の不要物除去装置は、管の先端が土の中に埋設されていて出口が形成されていない袋状の状態であって、管の両端から不要物の除去をすることができない管内の不要物を除去する地中に埋設された管内の不要物除去装置であり、地中に埋設された管内に挿入される給水パイプと、前記給水パイプ内に挿入される中空で先端に吐水口が形成された吐水手段と、前記給水パイプの先端に設けられて前記吐水手段の吐水口が前記給水パイプから突出した状態で前記吐水手段を前記給水パイプに保持する保持手段とを備えた地中に埋設された管内の不要物除去装置あって、前記給水パイプは給水パイプに水を供給しながら地中に埋設された管内に挿入されるものであり、前記吐水手段は、管内に挿入された前記給水パイプに挿入し、吐水手段の後方から水を供給して吐水手段を給水パイプの先端に設けられた保持手段に吐水手段の当接部が当接するまで移動させることができるものであることを特徴とするものであるから、管の先端が土の中に埋設されていて出口が形成されていない袋状の状態であって、管の両端から不要物の除去をすることができない管内の不要物を簡単に、且つきれいに除去することができ、例えば、推進掘進管を管に対する負荷を軽減しスムーズに効率良く挿入することができるという効果がある。
【図面の簡単な説明】
【０００８】
【図１】図１は、本発明の地中に埋設された管内の不要物除去装置の概要図。
【図２】図２は、本発明の地中に埋設された管内の不要物除去装置の第１の実施例を示す断面図。
【図３】図３は、本発明の地中に埋設された管内の不要物除去装置の第２の実施例を示す断面図。
【図４】図４は、図３におけるＡ−Ａ断面図。
【図５】図５は、本発明の地中に埋設された管内の不要物除去装置の第３の実施例を示す断面図。
【図６】図６は、本発明の第１の実施例における使用状態説明する拡大図。
【図７】図７は、本発明の第２の実施例における使用状態説明する拡大図。
【図８】図８は、本発明の第１の実施例における管内の不要物除去説明図。
【図９】図９は、本発明の第１の実施例における管内の不要物除去説明図。
【図１０】図１０は、本発明の第１の実施例における管内の不要物除去説明図。
【図１１】図１１は、本発明の第１の実施例における管内の不要物除去説明図。
【図１２】図１２は、本発明の第１の実施例における管内の不要物除去説明図。
【図１３】図１３は、本発明の第１の実施例における管内の不要物除去説明図。
【図１４】図１４は、本発明における先導鞘管に推進掘進管を挿入する状態を示す断面図。
【図１５】図１５は、本発明を使用する二層式短筒掘進鋼管の推進状況概略図。
【図１６】図１６は、推進工法を示す全体図。
【図１７】図１７は、従来例における埋設された管内の不要物除去装置図。
【発明を実施するための形態】
【０００９】
以下、本発明を実施するための形態について図面を参照して説明する。
【００１０】
地中に埋設された管内の不要物除去装置１は、管２内に挿入される給水パイプ３と、前記給水パイプ３内に挿入される中空で先端に吐水口４が形成された吐水手段５と、前記給水パイプ３の先端に設けられて前記吐水手段５の吐水口４が前記給水パイプ３から突出した状態で前記吐水手段５を前記給水パイプ３内に保持する保持手段６とを備えている。
【００１１】
管２は、推進二層式短筒掘進鋼管（鞘管）７と、推進二層式短筒掘進鋼管（内管）８とで構成されており、  管２の直径は、１０センチメートル〜６０センチメートルである。
【００１２】
給水パイプ３は、塩化ビニールパイプで形成されており、給水パイプ３の内径は、３０ミリメートルであるが、１３ミリメートル〜３０ミリメートルが望ましい。
【００１３】
吐水手段５は、塩化ビニールパイプでできており、外面が給水パイプ３の内面を摺動する円筒部９と、保持手段６に当接する当接部１０と、複数個の吐水口４が形成されている。吐水口４は、実施例は６個形成したが数が多いほど均一に吐水ができ望ましいものである。吐水手段５は、一部又は全体を炭素繊維のような硬質の合成樹脂材で形成しても構わないものであり、先端を合金で形成しても構わないものである。
【００１４】
保持手段６は、給水パイプ３の先端に内側に突出するフランジ状に形成されており、衝撃を吸収するための環状のクッション用のゴムパッキン１１がフランジ部６ａに設けられている。保持手段６は、給水パイプ３にねじ部１２により着脱自在に取り付けられており、吐水口４の大きさが異なるものを使用する場合など必要に応じて吐水手段５を代えることができるようになっている。保持手段６を給水パイプ３と同一の外形にしたものは、挿入及び手元に引き寄せる際の抵抗を低くすることができるものである。
【００１５】
吐水手段５は、当接部１０を形成するために円筒部９の先端側に円筒部９よりも径が小さく、保持手段６の端縁を摺動する第２の円筒部１３が形成されている。第２の円筒部１３の先端には複数個の吐水口４が形成された頭部１４がねじ１５により着脱自在に取り付けられている。
【００１６】
頭部１４は、先端が円錐状に形成された円錐部１６と、中央部は円柱状に形成された円柱部１７と、第２の円筒部１２に螺合されるねじ部１５の近くは、頭部１４の先端の円錐部１６と同形で逆方向に突出した円錐部１８が形成されており、該円錐部１８に複数個の吐水口４が吐水口４から吐水された水が給水パイプ３及び第２の円筒部１２に衝突しないように形成され、吐水手段５の後側に吐水されるようになっている。頭部１４の先端を円錐状に形成したものは、圧縮土などの不要物内に侵入しやすくしているものである。
【００１７】
吐水手段５は、中空に形成されており、円筒部９及び第２の円筒部１３の内面は円筒部９及び第２の円筒部１３と対応させて階段状に形成されるとともに、頭部１４内は水が効率良く吐水口４から流出するように球状に形成された球状部１９が形成されている。
【００１８】
給水パイプ３には継手２０を介して給水ホース２１が接続され、貯水タンク２２の水がポンプ２３により、給水パイプ３に給水される。発進坑２４には汲み上げポンプ２５が設けられて蛇腹ホース２６を介して濾過機２７に給水される。
【００１９】
推進機２８は、推進二層式短筒掘進鋼管（鞘管）７と、推進二層式短筒掘進鋼管（内管）８とを所定の位置に挿入するために推進するものである。
【００２０】
受信坑２９は、発進坑２４の反対側に設けられるものであり、推進二層式短筒掘進鋼管（内管）８を最終的に到達させるものであるが、推進二層式短筒掘進鋼管（内管）８が受信坑２９に到達していない推進二層式短筒掘進鋼管（内管）８内の不要物を除去することが要求されるものである。
【００２１】
次に、図３、図４を参照して本発明の第２の実施例の地中に埋設された管内の不要物除去装置について説明する。
【００２２】
地中に埋設された管内の不要物除去装置１は、管２内に挿入される給水パイプ３と、前記給水パイプ３内に挿入される中空で先端に吐水口４が形成された吐水手段５と、前記給水パイプ３の先端に設けられて前記吐水手段５の吐水口４が前記給水パイプ３から突出した状態で前記吐水手段５を前記給水パイプ３内に保持する保持手段６とを備えている。
【００２３】
吐水手段５は、調整ばね３０が設けられており、吐水手段５に供給する水量が少ないと、図３に示すように、調整ばね３０が縮まり、吐水手段５は給水パイプ３内に収納されるのであり、吐水手段５に供給する水量が多いと、図７に示すように、調整ばね３０が伸びて吐水手段５は給水パイプ３から突出し、吐水手段５の吐水口４から水が後方に噴射されるのである。
【００２４】
実施例２のようにしたものは、吐水手段５に供給する水量が少ないと、図３に示すように、調整ばね３０が縮まり、吐水手段５は給水パイプ３内に収納され吐水手段５の吐水口４を保護することができるのであり、その状態で管２内を動かすことが可能となり、管２を土の中を推進させることが可能となるものである。
【００２５】
次に、図５を参照して本発明の第３の実施例の地中に埋設された管内の不要物除去装置について説明する。
【００２６】
給水パイプ３の先端には保持手段６がねじ３１により着脱自在に取り付けられている。保持手段６はテーパー部３２が形成されており、吐水手段５に形成されたテーパー状の当接部１０が当接するように構成されている。
【００２７】
次に、管内の不要物除去方法について、図面を参照して説明する。図８乃至図１１に示すように、給水パイプ３に水を供給しながら地中に埋設された管２内に給水パイプ３を挿入する。次に、給水パイプ３を給水ホース２１から外し、給水パイプ３内に吐水手段５を挿入するのであるが、吐水手段５は、給水パイプ３が推進二層式短筒掘進鋼管（鞘管）７の先端部付近まで到達した後に挿入するものである。次に、図２、図３、図５に示すように、吐水手段５を給水パイプ３に挿入し、吐水手段５の後方から水を供給して吐水手段５を給水パイプ３の先端側に移動させ、給水パイプ３の保持手段６に吐水手段５の当接部１０が当接するまで移動させる。吐水手段５の吐水口４が給水パイプ３から突出した図６、図７に示す状態になると給水パイプ３から逆流してくる水の量が減少するので、給水量を増加させ、管２内に残留した不要物Ｆである土を図１１乃至図１２に示すように押し流すのであり、給水パイプ３を前後に細かく動かしながら手元に引き寄せ、給水パイプ３を完全に管２から引き抜いた状態においては、図１３に示すように、管２内の土のような不要物Ｆは除去されるのである。
【００２８】
推進工法に本発明の地中に埋設された管内の不要物除去装置を使用する場合は、二層式短筒掘進鋼管７を４メートル〜５メートル程度圧入し、その後、給水パイプ３を水を出しながら先端部まで挿入して行き、吐水手段５の後方から水を供給して吐水手段５を給水パイプ３の先端側に移動させ、給水パイプ３の保持手段６に吐水手段５の当接部１０が当接するまで移動させるようにするものである。吐水手段５により二層式短筒掘進鋼管８内の不要物である土を除去したのちに、推進二層式短筒掘進鋼管（内管）８を二層式短筒掘進鋼管７に挿入すればよいものである。二層式短筒掘進鋼管７は、最初に入れる管であり、角度調整をするようにしている。
【００２９】
不要物は、土の他に管内に残留した油粕や紙類などが該当するものである。
【符号の説明】
【００３０】
１  地中に埋設された管内の不要物除去装置
２  管
３  給水パイプ
４  吐水口
５  吐水手段
６  保持手段
【要約】      （修正有）【課題】推進工法において、管内に土を取り込みながら圧入していく短筒鋼管の内面にへばりついた粘性の高い圧縮土を除去する管内の不要物除去装置を提供する。【解決手段】管内に挿入される給水パイプ３と、給水パイプ内に挿入される中空で先端に吐水口４が形成された吐水手段５と、給水パイプ３の先端に設けられて吐水手段５の吐水口４が給水パイプ３から突出した状態で吐水手段５を給水パイプ３内に保持する保持手段６とを備える。【選択図】図２【図１】
0005141996.tif 000002
【図２】
0005141996.tif 000003
【図３】
0005141996.tif 000004
【図４】
0005141996.tif 000005
【図５】
0005141996.tif 000006
【図６】
0005141996.tif 000007
【図７】
0005141996.tif 000008
【図８】
0005141996.tif 000009
【図９】
0005141996.tif 000010
【図１０】
0005141996.tif 000011
【図１１】
0005141996.tif 000012
【図１２】
0005141996.tif 000013
【図１３】
0005141996.tif 000014
【図１４】
0005141996.tif 000015
【図１５】
0005141996.tif 000016
【図１６】
0005141996.tif 000017
【図１７】
0005141996.tif 000018